(57)【要約】【課題】簡易な構造で室外からの不正な解錠を抑制することができる施錠装置を提供することを課題とする。【解決手段】ロッド２１を有するストッパ２０と、該ストッパ２０を収容するカバー１０とからなる施錠装置であって、前記カバー１０内面の正面側には、前記ストッパ２０を押し込む方向と平行方向に案内片１０ｃが形成されており、前記ストッパ２０の外周面には、前記案内片１０ｃを嵌め込み可能な切欠溝２０ｂが形成されており、前記ストッパ２０を回動させて、該ストッパ２０外周面の切欠溝２０ｂと前記カバー１０内面の案内片１０ｃとが一致すると、弾性部材３０の復元力によって、前記カバー１０内面の案内片１０ｃは前記ストッパ２０外周面の切欠溝２０ｂに嵌め込まれると共に、前記ロッド２１の先端が嵌合孔５１ａから抜き出される。【選択図】  図２
2006029081.tif 000002
【特許請求の範囲】
【請求項１】
前戸と後戸とからなる引き違い戸における該前戸側の召し合わせ框に形成の貫通孔に貫通させ且つ前記後戸側の召し合わせ框に形成の嵌合孔に先端を抜き差し可能なロッドを有するストッパと、該ストッパを内部に収容した状態で前記前戸側の召し合わせ框に取り付けられるカバーとからなっており、
前記カバーの正面には、開口部が形成され、該開口部から前記ストッパを押し込むこと、および回動させることが可能となっており、
前記ストッパを押し込んで前記ロッドの先端を前記嵌合孔に差し込ませると、該ロッドの先端が該嵌合孔から抜き出る方向へ付勢される弾性部材が設けられており、
前記カバー内面の正面側には、前記ストッパを押し込む方向と平行方向に案内片が形成されており、
前記ストッパの外周面には、前記案内片を嵌め込み可能な切欠溝が形成されており、
前記ストッパを回動させて、該ストッパ外周面の切欠溝と前記カバー内面の案内片とが一致すると、前記弾性部材の復元力によって、前記カバー内面の案内片は前記ストッパ外周面の切欠溝に嵌め込まれると共に、前記ロッドの先端が前記嵌合孔から抜き出される、施錠装置。
【請求項２】
請求項１に記載の施錠装置であって、
前記ストッパの表面には、つまみが形成されており、
前記ロッドの先端が前記嵌合孔に差し込まれた状態において、前記つまみは前記カバーの開口部より内面側となるように設定されている、施錠装置。
【請求項３】
請求項２に記載の施錠装置であって、
前記カバー内面の案内片と前記ストッパ外周面の切欠溝は、少なくとも２組形成されている、施錠装置。
【発明の詳細な説明】
【技術分野】
【０００１】
本発明は、施錠装置に関し、詳しくは前戸と後戸とからなる引き違い戸の召し合わせ框に取り付ける施錠装置に関する。
【背景技術】
【０００２】
この種の施錠装置として、例えば特許文献１に記すクレセント錠が既に知られている。このクレセント錠は、図６（Ａ）に示すように、掛け金具１０１と受け金具１０２とからなっており、掛け金具１０１は引き違い戸の召し合わせ框の一方１１１に回動自在に取り付けられている。また、受け金具１０２は掛け金具１０１に対して係合可能に、且つ他方の引き違い戸の召し合わせ框１１２に取り付けられている。そして、図６（Ｂ）に示すように、掛け金具１０１を反時計回りへと回動させて受け金具１０２に係合させると、掛け金具１０１は施錠状態となるため、引き違い戸はロックされた状態となる。また、この状態から掛け金具１０１を時計回り（先ほどの回動と反対方向）へと回動させて係合を解除させると、掛け金具１０１は解錠状態となるため、引き違い戸はアンロック状態となり、引き違い戸を自由に開閉することができる。
【特許文献１】特開平６−１５８９２９号公報
【発明の開示】
【発明が解決しようとする課題】
【０００３】
しかし、上述した施錠装置では、人が操作する掛け金具は、縦框の室外面に対して垂直面に取り付けられている。そのため、以下に記す問題点を有していた。
（１）例えば、室外から室内へと侵入を試みる者（以下、「侵入者」と記す）は、室外から掛け金具の状態を容易に目視することができる。すなわち、室外において、侵入者は掛け金具が施錠状態となっているか、または解錠状態となっているか容易に判別できる。これにより、掛け金具が解錠状態であれば、引き違い戸はアンロック状態であるため、室内へ侵入しようと試みる侵入者の気持ちを駆り立てることになる。
（２）また、例え掛け金具が施錠状態であっても、掛け金具近傍の窓ガラスを拳程度開口すれば、その開口部へドライバー等の工具を突っ込んで掛け金具を施錠状態から解錠状態へと容易に回動させることができる。なお、一般的に窓ガラスを拳程度に開口するのであれば、大きな音を出すことなく、容易に開口可能である。
【０００４】
本発明は、このような課題を解決しようとするもので、その目的は、簡易な構造で室外からの不正な解錠を抑制することができる施錠装置を提供することである。
そこで、本発明者は、侵入者が室内へ侵入しようと試みる気持ちを少しでも抑制させること、また侵入者が侵入を試みた場合でも侵入に要する手間を少しでも多く取らせることについて鋭意検討を重ねた結果、従来技術と比較して簡易な構造で室外からの不正な解錠を抑制することができる施錠装置を完成するに至ったものである。
【課題を解決するための手段】
【０００５】
本発明は、上記の目的を達成するためのものであって、以下のように構成されている。
請求項１に記載の発明は、前戸と後戸とからなる引き違い戸における該前戸側の召し合わせ框に形成の貫通孔に貫通させ且つ前記後戸側の召し合わせ框に形成の嵌合孔に先端を抜き差し可能なロッドを有するストッパと、該ストッパを内部に収容した状態で前記前戸側の召し合わせ框に取り付けられるカバーとからなっており、前記カバーの正面には、開口部が形成され、該開口部から前記ストッパを押し込むこと、および回動させることが可能となっており、前記ストッパを押し込んで前記ロッドの先端を前記嵌合孔に差し込ませると、該ロッドの先端が該嵌合孔から抜き出る方向へ付勢される弾性部材が設けられており、前記カバー内面の正面側には、前記ストッパを押し込む方向と平行方向に案内片が形成されており、前記ストッパの外周面には、前記案内片を嵌め込み可能な切欠溝が形成されており、前記ストッパを回動させて、該ストッパ外周面の切欠溝と前記カバー内面の案内片とが一致すると、前記弾性部材の復元力によって、前記カバー内面の案内片は前記ストッパ外周面の切欠溝に嵌め込まれると共に、前記ロッドの先端が前記嵌合孔から抜き出される構成である。
この構成によれば、ストッパを押し込んでさらに回動させると、ロッドによって引き違い戸はロックされる。これにより、簡易な構造の施錠装置を提供することができる。
また、さらに、この構成によれば、施錠装置は室内側の面の召し合わせ框に取り付けられるため、侵入者は施錠装置の状態を判別することができない。これにより、室内へ侵入しようとする侵入者の気持ちを抑制させることができる。
【０００６】
また、請求項２に記載の発明は、請求項１に記載の施錠装置であって、前記ストッパの表面には、つまみが形成されており、前記ロッドの先端が前記嵌合孔に差し込まれた状態において、前記つまみは前記カバーの開口部より内面側となるように設定されている構成である。
この構成によれば、施錠状態において、つまみはカバーに収容された状態となっている。これにより、侵入者が室外からドライバー等の工具でつまみを回動させることは困難である。
【０００７】
また、請求項３に記載の発明は、請求項２に記載の施錠装置であって、前記カバー内面の案内片と前記ストッパ外周面の切欠溝は、少なくとも２組形成された構成である。
この構成によれば、カバーとストッパとの間で生じるガタを抑制することができる。
【発明を実施するための最良の形態】
【０００８】
以下、本発明を実施するための最良の実施例を、図１〜４を用いて説明する。
図１は、引き違い戸に本発明の施錠装置を適用させた斜視図である。図２は、本発明の施錠装置の一部を破断させた分解斜視図である。図３は、本発明の施錠装置の解錠状態を示す図であり、（Ａ）は縦断面図であり、（Ｂ）は正面図である。図４は、本発明の施錠装置の施錠状態を示す図であり、（Ａ）は縦断面図であり、（Ｂ）は正面図である。
【０００９】
まず、本発明の施錠装置を適用させる引き違い戸の構成について説明する。この引き違い戸は、図１に示すように、前戸４０と、該前戸４０に対して相対的にスライド可能な後戸５０とからなる、一般的な引き違い戸である。なお、以下の記載において、召し合わせ框４１、５１とは、これら前戸４０と後戸５０が閉鎖位置において、対向する縦框のことであり、前戸４０側の縦框を召し合わせ框４１とし、後戸５０側の縦框を召し合わせ框５１とする。
【００１０】
前戸４０側の召し合わせ框４１の室内側の面において高さ方向の略中央部位には、貫通孔４１ａが形成されており、その貫通孔４１ａにはパイプ４１ｂが嵌め込まれている。また、同様に、後戸５０側の召し合わせ框５１の室内側の面において高さ方向の略中央部位には、嵌合孔５１ａが形成されており、その嵌合孔５１ａにはパイプ５１ｂが嵌め込まれている。そして、前戸４０と後戸５０が閉鎖位置において、これら貫通孔４１ａと嵌合孔５１ａは、水平方向に向けて同一軸芯となるように設定されている。なお、図示を省略するが、これら両パイプ４１ｂ、５１ｂの室内側の端部をプレス加工等によってフランジを形成させ、そのフランジと召し合わせ框４１、５１をタップビスによってネジ止めすることで、両パイプ４１ｂ、５１ｂを召し合わせ框４１、５１に固定している。このように両パイプ４１ｂ、５１ｂを嵌め込むことによって、後述するロッド２１の挿入を容易なものとしている。
【００１１】
次に、本発明の施錠装置の構成について説明する。この施錠装置は、図２に示すように、丸棒形状のロッド２１を有する円柱形状のストッパ２０と、このストッパ２０を内部に収容可能な略円筒形状のカバー１０とから構成されている。以下に、このカバー１０とストッパ２０の詳細構成を説明する。
【００１２】
（カバー１０）
カバー１０は略円筒形状をなしており、その一端にはフランジとして作用する取付板１１が設けられている。また、この取付板１１の四隅には、ネジ孔１１ａが形成されている。これにより、ネジ３１を取付板１１のネジ孔１１ａに嵌め込んで前戸４０の召し合わせ框４１に形成のネジ受孔４２にネジ止めすることで、カバー１０を前戸４０の召し合わせ框４１に取り付けることができる。カバー１０の他端の周縁には内方に向けて形成された鍔１２が設けられている。これにより、カバー１０内部に収容したストッパ２０が脱落することを防いでいる。
【００１３】
カバー１０内面の正面側には、カバー１０の軸方向と平行方向（特許請求の範囲の記載において「ストッパを押し込む方向」）に２つの案内片１０ｃ、１０ｃが形成されている。この両案内片１０ｃは、カバー１０の軸に対して対向する位置にそれぞれ設けられている。すなわち、この実施例において、両案内片１０ｃはカバー１０内周面の上端と下端に設けられている。
【００１４】
（ストッパ２０）
ストッパ２０は円柱形状をなしており、その一方の面の中心には円形状の切欠部２０ａが形成されており、その切欠部２０ａの底面には丸棒形状のロッド２１が設けられている。このロッド２１を前戸４０の召し合わせ框４１の貫通孔４１ａに貫通させた状態で、さらにその先端を後戸５０の召し合わせ框５１の嵌合孔５１ａに抜き差しすることができる。
【００１５】
そして、ロッド２１の先端を後戸５０の召し合わせ框５１の嵌合孔５１ａまで差し込むと、前戸４０と後戸５０は相対的に動かすことが出来なくなるため引き違い戸はロックされた状態となる。以下、このように、ロッド２１の先端を嵌合孔５１ａまで差し込んだ状態を「施錠状態」と記す。一方、ロッド２１の先端を後戸５０の召し合わせ框５１の嵌合孔５１ａから抜き出すと、前戸４０と後戸５０は相対的に動かすことが出来るため引き違い戸はアンロックされた状態となる。以下、このように、ロッド２１の先端を嵌合孔５１ａから抜き出した状態を「解錠状態」と記す。
【００１６】
ストッパ２０の他方の面にはつまみ２２が設けられている。このつまみ２２によって、カバー１０の開口部１０ａからストッパ２０を回動させることができる。なお、施錠状態において、つまみ２２はカバー１０の開口部１０ａと同一面上に位置するように設定されている。すなわち、施錠状態において、つまみ２２がカバー１０の開口部１０ａから突出することのないように設定されている。また、ストッパ２０の外周面には、既に説明したカバー１０内面に形成の両案内片１０ｃをそれぞれ嵌め込み可能な両切欠溝２０ｂが形成されている。なお、このようにカバー１０内面の案内片１０ｃとストッパ２０外周面の切欠溝２０ｂとを軸に対して対向する位置に２組設けることで、カバー１０とストッパ２０との間に生じるガタを抑制することができる。
【００１７】
（組み立て）
次に、上述したカバー１０とストッパ２０とから施錠装置を組み立てる方法を説明する。図２に示すように、圧縮バネ（特許請求の範囲に記載において「弾性部材」）３０を嵌装させたロッド２１を前戸４０の貫通孔４１ａに嵌め込ませる。そして、この状態で、ストッパ２０の両切欠溝２０ｂにカバー１０内面の両案内片１０ｃが嵌め込まれるようにストッパ２０を回動させ位置あわせしながら、ストッパ２０にカバー１０を被せて、補強板３２を介してカバー１０をネジ３１によって前戸４０の召し合わせ框４１に取り付ける。なお、この補強板３２には、ストッパ２０のロッド２１を嵌め込み可能な貫通孔３２ａと、取付板１１のネジ孔１１ａおよび召し合わせ框４１のネジ受孔４２にそれぞれ対応するネジ孔３２ｂとが穿設されている。このようにして、図３に示す解錠状態の施錠装置が組み立てられる。
【００１８】
（動作）
続いて、施錠装置の動作について説明する。まず、図３を参照して施錠装置の解錠状態を説明する。この図３（Ａ）からも明らかなように、解錠状態では、圧縮バネ３０は付勢されることなく定常状態となっている。また、この解錠状態では、既に説明したように、カバー１０内面に形成の両案内片１０ｃはストッパ２０に形成の両切欠溝２０ｂに嵌め込まれている。そして、この解錠状態では、図３（Ｂ）に示すように、つまみ２２は水平状態となっている。
【００１９】
次に、図４を参照して施錠装置の施錠状態を説明する。図３（Ａ）に示す状態から、つまみ２２を押し込むと、圧縮バネ３０は縮められていくため、ストッパ２０が押し込まれていき、カバー１０内面に形成の両案内片１０ｃとストッパ２０に形成の両切欠溝２０ｂとの嵌め込みが解除される。これにより、ストッパ２０を自由に回動することができる。
また、ストッパ２０が押し込まれることで、ロッド２１の先端は後戸５０側の嵌合孔５１ａに嵌め込まれて施錠状態となる。なお、このままの状態で、ストッパ２０の押し込みを解除すると、圧縮バネ３０の復元力によって、施錠状態は保持されることなく、解錠状態へと戻ってしまう。これを防止するため、図４（Ｂ）に示すように、つまみ２２を水平状態から垂直状態へと回動させる。そして、つまみ２２の押し込みを解除する。
【００２０】
すると、圧縮バネ３０には復元力が作用しているため、つまみ２２を形成してある方のストッパ２０の周縁がカバー１０内面の案内片１０ｃの端部に係止される。これにより、ストッパ２０は押し込み前の位置に戻されることがないため、施錠状態が保持されることになる。
【００２１】
この施錠状態から、再度、解錠状態とするためには、つまみ２２を垂直状態から水平状態へと回動させればよい。すると、ストッパ２０の両切欠溝２０ｂはカバー１０内面に形成の両案内片１０ｃに嵌め込まれて、圧縮バネ３０の復元力によって、ストッパ２０は押し込み前の位置に戻されて解錠状態となる。
【００２２】
上述した施錠装置には、以下に記す効果が含まれている。
（１）施錠装置は、カバー１０とストッパ２０とからなっている。これにより、簡易な構造の施錠装置とすることができる。
（２）施錠装置は、前戸４０の召し合わせ框４１の室内側の面に取り付けられる。これにより、侵入者は、室外から施錠装置の状態を判別することができない。すなわち、侵入者は施錠装置が施錠状態となっているか、または解錠状態となっているかを判別するためには、引き違い戸をスライドしてみなければ判別することはできない。これにより、侵入者は施錠装置の状態を目視だけでは判別できないため、室内へ侵入しようと試みる侵入者の気持ちを抑制させることができる。
（３）施錠装置は、上記（２）に記したように取り付けられていると、侵入者は施錠装置の構造を把握することができない。そのため、上記（２）と同様に、室内へ侵入しようと試みる侵入者の気持ちを抑制させることができる。
（４）また、侵入者が施錠装置の構造を把握している場合でも、つまみ２２はカバー１０で被われているため、侵入者が室外からドライバー等の工具でつまみ２２を回動させることは困難である。これにより、防犯性を有する施錠装置とすることができる。
【００２３】
上述した内容は、あくまでも本発明の一実施の形態に関するものであって、本発明が上記内容に限定されることを意味するものではない。
実施例では、施錠状態に保持するため、つまみ２２を水平状態から垂直状態へと回動させる構成を例に説明した。しかし、この垂直状態に限定されるものでなく、水平状態と垂直状態の間の状態でも構わない。すなわち、カバー１０内面に形成の両案内片１０ｃがストッパ２０に形成の両切欠溝２０ｂに嵌め込まれない状態であればよい。
【００２４】
また、実施例では、つまみ２２を形成してある方のストッパ２０の周縁がカバー１０内面の案内片１０ｃに係止されることで、施錠状態を保持する構成を例に説明した。しかし、これに限定されるものでなく、カバー１０内面に雌ネジを形成し、ストッパ２０の外周面に該雌ネジと螺合可能な雄ネジを形成し、これらを螺合させることで、施錠状態を保持する構成でも構わない。このように螺合によって保持させると、施錠状態から解錠状態へ移行させる場合、実施例の場合と比較して、より大きな力でストッパ２０を回動させなければならない。これにより、さらに防犯性を向上させることができる。
【００２５】
また、実施例では、ロッド２１に圧縮バネ３０を嵌装させる構成を例に説明した。しかし、これに限定されるものでなく、後戸５０の嵌合孔５１ａに圧縮バネを挿入して、嵌合孔５１ａの壁面とロッド２１の先端との間で挿入した圧縮バネを作用させる構成でも構わない。その場合、嵌合孔５１ａには圧縮バネの脱落を防止するための壁面を設けておく必要がある。
【００２６】
また、実施例では、ロッド２１は丸棒形状である例を説明した。しかし、これに限定されるものでなく、図５に示すように、ロッド２１の先端において、軸方向に所定間隔（例えば、４ｍｍ間隔）の複数の切欠溝を２１ａを形成しておく構成でも構わない。一般的に、召し合わせ框４１、５１の奥行長は、いろいろな長さのものが存在している。そのため、取り付ける召し合わせ框４１、５１の奥行長にロッド２１の長さを合わせる必要がある。しかし、各召し合わせ框４１、５１ごとに、長さの異なるロッド２１を用意しておくことは非効率である。そこで、上述した構成のようにロッド２１の先端に切欠溝２１ａを形成しておくと、この切欠溝２１ａによってロッド２１を容易に切断することができる。これにより、各召し合わせ框４１、５１ごとに、長さの異なるロッド２１を用意する必要がなく、各種召し合わせ框４１、５１に対応させることができ効率的である。
【００２７】
また、実施例では、ストッパ２０とロッド２１とは一体である場合を説明した。しかし、これに限定されるものでなく、ストッパ２０とロッド２１とは別体であっても構わない。その場合には、ロッド２１の基端にネジ山を形成し、このネジ山と螺合可能なネジ孔をストッパ２０の切欠部２０ａの底面に形成しておく必要がある。そして、ロッド２１をストッパ２０に螺合させて、ストッパ２０とロッド２１とを一体とする。
【図面の簡単な説明】
【００２８】
【図１】図１は、引き違い戸に本発明の施錠装置を適用させた斜視図である。
【図２】図２は、本発明の施錠装置の一部を破断させた分解斜視図である。
【図３】図３は、本発明の施錠装置の解錠状態を示す図であり、（Ａ）は縦断面図であり、（Ｂ）は正面図である。
【図４】図４は、本発明の施錠装置の施錠状態を示す図であり、（Ａ）は縦断面図であり、（Ｂ）は正面図である。
【図５】図５は、本発明の施錠装置におけるロッド２１の別の実施例を示す図である。
【図６】図６は、従来技術の施錠装置の斜視図であり、（Ａ）は解錠状態であり、（Ｂ）は施錠状態である。
【符号の説明】
【００２９】
１０    カバー
１０ａ  開口部
１０ｃ  案内片
２０    ストッパ
２０ｂ  切欠溝
２１    ロッド
２２    つまみ
３０    圧縮バネ（弾性部材）
４０    前戸
４１    召し合わせ框
４１ａ  貫通孔
５０    後戸
５１    召し合わせ框
５１ａ  嵌合孔
【図１】
2006029081.tif 000003
【図２】
2006029081.tif 000004
【図３】
2006029081.tif 000005
【図４】
2006029081.tif 000006
【図５】
2006029081.tif 000007
【図６】
2006029081.tif 000008